(57)【要約】【課題】前面開口部の長さに影響した外部および内部電波の共振を極力少なくすることができる光ディスク装置を提供する。【解決手段】ベゼルアセンブリ２０における導電性部材２には、複数の分割線により、開口部が形成されている。導電性部材２は、接着剤にてベゼル１に固定され、ガスケット３は、導電性接着剤により、導電性部材２の上下位置に接着されている。上側のガスケット３と下側のガスケット３は、導電性接着剤及び導電性部材２により、電気的に繋がる。【選択図】図２
2006309887.tif 000002
【特許請求の範囲】
【請求項１】
情報記録媒体を支持し回転制御する駆動機構が装着されたドロアと、
前記ドロアを上下方向から保護するように設けられ、第１の導電性部材にて形成されたカバーと、
前記ドロワの長手方向に、第２の導電性部材を用いて複数の分割線を形成し、前記ドロワに当該第２の導電性部材を介して取着されるベゼルを有するベゼルアセンブリと、
を備え、
前記ドロワが前記カバー内に閉じた状態では、前記第１の導電性部材と前記第２の導電性部材による前記複数の分割線との間で電気的な接続関係が形成されることを特徴とする光ディスク装置。
【請求項２】
前記ベゼルアセンブリは、前記ベゼルと、このベゼルの裏面側に配設され、複数の分割線を繋いで複数の開口部が形成された前記第２の導電部材と、導電性を有したガスケットとを、備えることを特徴とする請求項１記載の光ディスク装置。
【請求項３】
前記複数の分割線の間隔は、最長のものが５５ｍｍより小さいことを特徴とする請求項１又は２記載の光ディスク装置。
【請求項４】
前記第２の導電部材は、銅箔で形成されていることを特徴とする請求項１乃至３のいずれか１項に記載の光ディスク装置。
【発明の詳細な説明】
【技術分野】
【０００１】
本発明は、光ディスク装置に関し、特に外部から飛来する電波及び内部電波の影響を少なくした光ディスク装置に関する。
【背景技術】
【０００２】
電気機器は、何の対策も施さなければ、近くにある他の機器の放射電磁波などの影響で、機能低下や誤作動、停止、記録の消失などの影響を受けることがある。特に無線機器から放射される電磁波が、他の電子機器等に共振等の影響を与える場合がある。このような無線周波妨害やイミュニティの対策については、種々の研究がなされている。
【０００３】
例えば、可搬記憶媒体を装着した状態で使用される電子機器において、可搬記憶媒体の挿入面の金属板等を、その装置の外部で発生する電波と共振しない形状や構造とした電子装置が提案されている（例えば、特許文献１参照。）。
【０００４】
また、レーザ光を通過させるために金属筐体に設けた開口がスロットアンテナとして働き、開口の長手方向の長さの２倍を１波長とする周波数帯域内において、スロットアンテナ放射現象を生じさせないように、レーザ光を通過させるために金属筐体に設けた開口の長手方向の両辺間に、導電部材を設けた画像形成装置が提案されている（例えば、特許文献２参照。）。
【特許文献１】特開２００１−６７８５１号公報
【特許文献２】特開２００３−２６２８１８号公報
【発明の開示】
【発明が解決しようとする課題】
【０００５】
上述した従来技術においては、可搬記憶媒体を使用する装置あるいは画像形成装置の前面開口部に、長手方向を2分するように導電性材を取り付けることにより、外部から飛来する電波および内部電波による共振点をずらすようにしている。
【０００６】
ところが、例えば特許文献１では、外部から飛来する電波の周波数を１．５ＧＨｚと仮定し、特許文献２では、１ＧＨｚまでのノイズ規格を想定しているが、多種多様な電子機器から放射される電磁波は決して１種類ではない。
【０００７】
そのため、従来技術のように、導電部材を1箇所に取り付けて共振をずらしても、まだ完全に、妨害電波の影響がなくなってはいないという問題があった。
【０００８】
本発明は、外部から飛来する電波及び内部電波の影響を極力少なくできる光ディスク装置を提供することを目的としている。
【課題を解決するための手段】
【０００９】
本発明の一態様によれば、情報記録媒体を支持し回転制御する駆動機構が装着されたドロアと、前記ドロアを上下方向から保護するように設けられ、第１の導電性部材にて形成されたカバーと、前記ドロワの長手方向に、第２の導電性部材を用いて複数の分割線を形成し、前記ドロワに当該第２の導電性部材を介して取着されるベゼルを有するベゼルアセンブリと、を備え、前記ドロワが前記カバー内に閉じた状態では、前記第１の導電性部材と前記第２の導電性部材による前記複数の分割線との間で電気的な接続関係が形成されることを特徴とする光ディスク装置が提供される。
【００１０】
ベゼルアセンブリは、ベゼルと、このベゼルの裏面側に配設され、複数の分割線を繋いで複数の開口部が形成された前記第２の導電部材と、導電性を有したガスケットとを、備える。
【００１１】
また、前記複数の分割線の間隔は、最長のものが５５ｍｍより小さいものであることが好適である
【発明の効果】
【００１２】
本発明によれば、外部から飛来する電波の影響を極力少なくできる光ディスク装置が得られる。
【発明を実施するための最良の形態】
【００１３】
以下、本発明の実施の形態について、図面を参照しながら説明する。尚、各図において同一箇所については同一の符号を付すとともに、重複した説明は省略する。
【００１４】
図１は、本発明の一実施形態に係る光ディスク装置の斜視図である。図１に示すように、光ディスク装置１０は、情報記録媒体である光ディスクを支持し回転制御する駆動機構を搭載したメカシャーシ、このメカシャーシが装着され、装置本体に挿脱可能なドロア６、ドロアを上下からカバーして保護するための天板４と底板５、ドロワ６の長手方向に取着されるベゼルアセンブリ２０等から構成されている。光ディスク装置１０の上部部材として配設される天板４は、導電体で構成するのが好ましい。同様に、光ディスク装置１０の下部部材として配設される底板５も、導電体で構成するのが好ましく、例えばアルミ板もしくは鉄板が好適である。この光ディスク装置は、ドロワが閉じた状態では、光ディスクの駆動及び情報の記録または再生を行うために各種の電気的な接続関係が形成されるように構成されている。
【００１５】
図２は本発明の一実施形態に係る光ディスク装置のベゼルアセンブリの斜視図である。
【００１６】
上述したように、ドロワ６のフロント側（引き出し可能方向）にベゼルアセンブリ２０が固定される。このベゼルアセンブリ２０は、ベゼル１と、導電性部材２と、ガスケット３から成っている。
【００１７】
ベゼル１は光ディスク装置１０の前面に位置するものであり、図示しないイジェクトボタン、LEDレンズ等を具備している。
【００１８】
光ディスク装置の上下方向及び側面方向に比べて、ドロワ６のフロント側は、飛来する外来電磁波の影響をまともに受ける。携帯電話等が、ドロワ近傍に置かれた場合には、共振現象の防止が必要である。携帯電話では８００ＭＨｚ、あるいは１．５ＧＨｚの周波数帯域が使用されているが、それらの波長λに対して、ドロワ６の長手方向の寸法が１／２λ、１／４λ、・・・の関係にならないようにする。ドロワ６の長手方向の寸法は、光ディスク装置１０と組み合わせて使用される機器によって決定される。
【００１９】
そこで、本発明の実施形態に係るベゼルアセンブリ２０における導電性部材２には、複数の分割線からなる。この複数の分割線を一体的に繋げることにより、開口部２ａが形成されている。複数の分割線を一体的に繋げたのは、後述するように導電部材２の製造を容易にするためである。複数の分割線の間隔、つまり各開口部２ａの横幅は等しいものである必要はない。それぞれの開口部２ａの横幅が、共振を避ける関係にあればよいからである。
【００２０】
ドロワ６の長手方向の寸法が１２７ｍｍ（スリムドライブの場合の一例）であるとき、開口部２ａの横幅は５５ｍｍよりも小さいことが好ましい。また、導電性部材２の外形は、ベゼル１の外形寸法よりも小さいことが好ましい。ベゼルからはみだすと、概観上、適切でないからである。導電性部材２の材質は、例えば銅箔が好適で、開口部２ａを打ち抜いて、一体物として形成することができる。また、導電性部材２は枠型形状に作ることができる。導電性部材２は、ベゼル１の裏面に対向した片面に接着剤が付けられており、ベゼル１の裏面に接着されるようになっている。
【００２１】
ガスケット３は、弾性を備えたシール部材で、ここでは、さらに導電性を有している。比較的簡単に適切なシール性能が得られる、非金属ガスケット（ソフトガスケット)が好適である。ガスケット３のベゼル１の裏面に対向する片面に導電性接着剤が付けられ、ベゼル１の裏面に接着されるようになっている。
【００２２】
図２に示すように、導電部材２は、接着剤にてベゼル１に固定され、ガスケット３は、導電性接着剤により、導電性部材２の上下位置に接着されている。したがって、上側のガスケット３と下側のガスケット３は、導電性接着剤及び導電性部材２により、電気的に繋がることになる。
【００２３】
図3は、ドロワ６が閉まった状態を示す断面図である。
【００２４】
図3に示すように、ドロワ６が閉まった状態であると、弾性をもったガスケット３は、天板４および底板５に圧縮して接合している。上述した如く、上下のガスケット３は電気的に繋がっているため、ドロワ６が閉じた状態では、天板4から底板５まで、電気的に繋がり、ループが形成される。
【００２５】
ベゼル１前面から見た状態では、導電部材２によって、天板４から底板５まで縦方向に導電材がいくつも繋がり、複数の電気的なループとなっている。これにより、光ディスク装置１０を外部電波及び内部電波の影響、すなわち外部および内部電波の共振を極力少なくさせることができる。
【００２６】
図４は、ノートパソコンに搭載されるスリムドライブ筐体の開口部が持つアンテナの反射係数を示したものである。横軸は周波数、縦軸Refl coefはその影響度を示している。
【００２７】
グラフの下方（マイナス方向）へ下がるほど反射の量が大きくなることを表している。
【００２８】
したがって、反射量が小さいほど、電磁環境両立性（Electro-Magnetic Compatibility：ＥＭＣ）対策の効果が表れていることになる。
【００２９】
図４に示すように、何の対策も採らない場合（分割線：ゼロ）に対して、導電部材２に２つの開口部を形成した場合（分割線：１）には、周波数のピーク値が高い方向にずれて若干の改善が認められるが、その改善の程度はわずかといえる。
【００３０】
ところが、導電部材２に３つの開口部を形成した場合（分割線：２）、導電部材２に４つの開口部を形成した場合（分割線：３）には、周波数のピーク値がさらに高い方向にずれているだけでなく、−１．５ｄＢ以下まで大幅な改善が認められる。導電部材２に５つの開口部を形成した場合（分割線：４）では、改善の程度も落ち着いてきている。
【００３１】
導電性材料を多点に取り付けることで、ＣＰＩ（Cellular Phone Immunity）などの受感性電波の影響対策の効果が表れ、電磁妨害雑音（ＥＭＩ：Electro Magnetic Interference）の影響に関しても、同様の効果が表れていることがわかる。
【００３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】本発明の実施形態に係る光ディスク装置の斜視図である。
【図２】本発明の実施形態に係る光ディスク装置のベゼルアセンブリを示す要部分解斜視図である。
【図３】ベゼルアセンブリがドロワ６に閉まった状態を示す断面図である。
【図４】スリムドライブの開口部におけるＥＭＣ対策の効果を示す図である。
【符号の説明】
【００３４】
１０・・・光ディスク装置、１・・・ベゼル、２・・・導電性部材、３・・・ガスケット、４・・・天板、５・・・底板、６・・・ドロワ、２０・・・ベゼルアセンブリ。
【図１】
2006309887.tif 000003
【図２】
2006309887.tif 000004
【図３】
2006309887.tif 000005
【図４】
2006309887.tif 000006